(57)【要約】【課題】マグネットトルクが最大値近傍のロータを容易に設計することのできる磁石埋込型ロータを提供する。【解決手段】この磁石埋込型ロータ４は、円筒状のロータコア４０と、ロータコア４０に埋め込まれた永久磁石５０とを備える。永久磁石５０は、ロータコア４０の軸方向に直交する断面形状がロータコア４０の径方向に延びる軸線ｍ２に対称なＵ字状をなすとともに、Ｕ字の内側及び外側に異なる磁極をそれぞれ有する。ここでは、永久磁石５０の極数、ロータコア４０の外径ｒｒｔ、軸線ｍ２上における永久磁石５０のＵ字外周面とロータコア４０の外周面との間の距離である埋込深さｄｍｇ、及び永久磁石５０の着磁方向の厚さｔｍｇを所定の条件に設定する。【選択図】図２
2014241705.tif 000002
【特許請求の範囲】
【請求項１】
円筒状のロータコアと、
前記ロータコアに埋め込まれた永久磁石と、を備え、
前記永久磁石は、前記ロータコアの軸方向に直交する断面形状が前記ロータコアの径方向に延びる軸線に対して対称なＵ字状をなすとともに、Ｕ字の内側及び外側に異なる磁極をそれぞれ有し、
前記永久磁石の極数をＮｐｌとするとき、次式
【数２１】
2014241705.tif 000022
から算出される各係数ａ，ｂ，ｃ、及び予め設定された誤差係数ｋに基づいて、前記ロータコアの外径ｒｒｔ、前記軸線上における前記永久磁石のＵ字外周面と前記ロータコアの外周面との間の距離である埋込深さｄｍｇ、及び前記永久磁石の着磁方向の厚さｔｍｇを、次式
【数２２】
2014241705.tif 000023
を満たすように設定したことを特徴とする磁石埋込型ロータ。
【請求項２】
請求項１に記載の磁石埋込型ロータにおいて、
前記誤差係数ｋの値が「０．９」から「１．１」までの範囲に設定されていることを特徴とする磁石埋込型ロータ。
【請求項３】
請求項１又は２に記載の磁石埋込型ロータにおいて、
前記永久磁石の極数Ｎｐｌが４極であるとき、前記係数ａが「９．２４」に、前記係数ｃが「−０．７８８」にそれぞれ設定されていることを特徴とする磁石埋込型ロータ。
【発明の詳細な説明】
【技術分野】
【０００１】
本発明は、Ｕ字状の永久磁石が埋め込まれた磁石埋込型ロータに関する。
【背景技術】
【０００２】
ロータの内部に界磁用の永久磁石を埋め込んだ構造からなるＩＰＭモータ（Ｉｎｔｅｒｉｏｒ  Ｐｅｒｍａｎｅｎｔ  Ｍａｇｎｅｔ  Ｍｏｔｏｒ）が知られている。このＩＰＭモータに用いられるロータとしては、特許文献１に記載のロータがある。特許文献１に記載のロータは、その軸方向に複数枚の電磁鋼板を積層して構成された円筒状のロータコア、及びロータコアに埋め込まれた複数の永久磁石からなる。ロータコアには、外周側に向けて開くＵ字をなす複数の磁石挿入孔が周方向に並べて配置されており、これらの磁石挿入孔にＵ字状の永久磁石がそれぞれ挿入されている。一つのＵ字状の永久磁石は、Ｕ字の内面及び外面に異なる磁極を有しており、ロータコアの外周部分に一磁極を形成する。
【先行技術文献】
【特許文献】
【０００３】
【特許文献１】特開２０１０−６３２０９号公報
【発明の概要】
【発明が解決しようとする課題】
【０００４】
ところで、ＩＰＭモータの設計の際には、予め定められた出力トルクを確保しつつ、モータ全体を小型化することが求められる。特に電動パワーステアリング装置のように低速回転で高いトルクが要求されるモータにおいては、モータ全体の小型化のために、ステータコイルの励磁により形成される回転磁界とロータの永久磁石とが引き付け合う力（いわゆるマグネットトルク）が最大値近傍となるようにロータの磁石形状を設計することが有効である。すなわち、マグネットトルクが最大値近傍となるようにロータの磁石形状を設計することができれば、ロータコアを小型化することができるため、結果的にモータ全体を小型化することが可能となる。
【０００５】
一方、マグネットトルクを大きくするためには、永久磁石の着磁方向の厚さを厚くすること、及び永久磁石の有効面積を大きくすることが有効である。すなわち図１２に示すようなＵ字状の永久磁石７が埋め込まれたロータコア６では、永久磁石７の着磁方向の厚さｔｍｇを厚くするとともに、着磁方向に直交する永久磁石７の平均断面積（図中に二点鎖線Ｐで示す部分の面積）Ｓｍｇを大きくすることで、マグネットトルクを大きくすることができる。しかしながら、永久磁石７の着磁方向の厚さｔｍｇを厚くすると、ロータコア６の幾何学的な形状の制約により、永久磁石７の有効面積Ｓｍｇが小さくなってしまう。すなわち永久磁石の厚さｔｍｇと有効面積Ｓｍｇとの間にはトレードオフの関係がある。そのため、マグネットトルクが最大値近傍となるようなロータの設計は、実験的な手法に頼らざるを得ず、その工程が非常に煩雑となっていた。
【０００６】
本発明は、こうした実情に鑑みてなされたものであり、その目的は、マグネットトルクが最大値近傍のロータを容易に設計することのできる磁石埋込型ロータを提供することにある。
【課題を解決するための手段】
【０００７】
上記課題を解決する磁石埋込型ロータは、円筒状のロータコアと、前記ロータコアに埋め込まれた永久磁石と、を備え、前記永久磁石は、前記ロータコアの軸方向に直交する断面形状が前記ロータコアの径方向に延びる軸線に対して対称なＵ字状をなすとともに、Ｕ字の内側及び外側に異なる磁極をそれぞれ有し、前記永久磁石の極数をＮｐｌとするとき、次式
【０００８】
【数１】
2014241705.tif 000003
から算出される各係数ａ，ｂ，ｃ、及び予め設定された誤差係数ｋに基づいて、前記ロータコアの外径ｒｒｔ、前記軸線上における前記永久磁石のＵ字外周面と前記ロータコアの外周面との間の距離である埋込深さｄｍｇ、及び前記永久磁石の着磁方向の厚さｔｍｇが、次式
【０００９】
【数２】
2014241705.tif 000004
を満たすように設定されている。
【００１０】
発明者は、Ｕ字状の永久磁石が埋め込まれたロータの磁気回路を磁気回路法（パーミアンス法）に基づいて解析した。この解析により、ロータ４の外周部分の磁束密度が、ロータ４の極数Ｎｐｌ、ロータの外径ｒｒｔ、永久磁石の埋込深さｄｍｇ、及び永久磁石の着磁方向の厚さｔｍｇにより定まることを見出した。そして、ロータ４の外周部分の磁束密度をシミュレーション解析したところ、ロータの外径ｒｒｔ、永久磁石の埋込深さｄｍｇ、及び永久磁石の着磁方向の厚さｔｍｇを式（１）〜式（４）を満たすように設定することで、ロータ４の外周部分の磁束密度を最大値近傍に設定できることを見出した。したがって上記構成のようにロータ４の形状を規定すれば、ロータ４の外周部分の磁束密度を最大値近傍に設定できるため、マグネットトルクが最大値近傍のロータを容易に設計することができる。
【００１１】
そして発明者のシミュレーション解析によれば、前記誤差係数ｋの値が「０．９」から「１．１」までの範囲に設定されていることが好ましい。これにより、式（４）を満たすようにロータの外径ｒｒｔ、永久磁石の埋込深さｄｍｇ、及び永久磁石の着磁方向の厚さｔｍｇを設定したとき、それらの設定値を、シミュレーション解析により得られた最適値に近づけることができるため、マグネットトルクが向上する。
【００１２】
一方、発明者は、ロータの極数Ｎｐｌが４極の場合、式（１），（３）に基づいて各係数ａ，ｃを演算すると、それらの演算値が、シミュレーション解析により得られた最適値から大きくずれてしまうことを確認した。各係数ａ，ｃが、シミュレーション解析により得られた最適値から大きくずれると、式（４）により永久磁石の埋込深さｄｍｇ及び着磁方向の厚さｔｍｇを適切に設定することができなくなり、結果としてマグネットトルクを最大値近傍に設定することが困難となる。
【００１３】
そこで、ロータの極数Ｎｐｌが４極の場合に限り、各係数ａ，ｃを、シミュレーション解析により得られた最適値に設定することが好ましい。すなわち、上記磁石埋込型ロータにおいて、前記永久磁石の極数が４極であるとき、前記係数ａを「９．２４」に、前記係数ｃを「−０．７８８」にそれぞれ設定することが好ましい。
【００１４】
これにより、永久磁石の極数が４極の場合にも、マグネットトルクが最大値近傍のロータを容易に設計することができる。
【発明の効果】
【００１５】
この磁石埋込型ロータによれば、マグネットトルクが最大値近傍のロータを容易に設計することができる。
【図面の簡単な説明】
【００１６】
【図１】（ａ）は、磁石埋込型ロータの一実施形態について同ロータを用いたＩＰＭモータの断面構造を示す断面図。（ｂ）は、（ａ）に示す範囲Ａの拡大断面構造を示す断面図。
【図２】同実施形態の磁石埋込型ロータの一部を示す平面図。
【図３】同実施形態の磁石埋込型ロータの一部を示す斜視図。
【図４】同実施形態の磁石埋込型ロータについてその磁気回路を模式的に示す図。
【図５】ロータの極数が４極の場合における永久磁石の厚さ比ｔｍｇ／ｒｒｔ、永久磁石の埋込深さ比ｄｍｇ／ｒｒｔ、及びロータの外周部分の磁束密度Ｂｇｐの関係を示すグラフ。
【図６】ロータの極数が１２極の場合における永久磁石の厚さ比ｔｍｇ／ｒｒｔ、永久磁石の埋込深さ比ｄｍｇ／ｒｒｔ、及びロータの外周部分の磁束密度Ｂｇｐの関係を示すグラフ。
【図７】ロータの極数が２０極の場合における永久磁石の厚さ比ｔｍｇ／ｒｒｔ、永久磁石の埋込深さ比ｄｍｇ／ｒｒｔ、及びロータの外周部分の磁束密度Ｂｇｐの関係を示すグラフ。
【図８】ロータの極数が３６極の場合における永久磁石の厚さ比ｔｍｇ／ｒｒｔ、永久磁石の埋込深さ比ｄｍｇ／ｒｒｔ、及びロータの外周部分の磁束密度Ｂｇｐの関係を示すグラフ。
【図９】ロータの極数が４極、１２極、２０極、及び３６極の場合にロータの外周部分の磁束密度が最大値近傍となるときの永久磁石５０の厚さ比ｔｍｇ／ｒｒｔ、及び永久磁石５０の埋込深さ比ｄｍｇ／ｒｒｔの関係を示すグラフ。
【図１０】ロータの極数Ｎｐｌ、各係数ａ，ｂ，ｃ、及びＲ２乗値の関係を示す図表。
【図１１】（ａ）は、ロータの極数Ｎｐｌと係数ａとの関係を示すグラフ。（ｂ）は、ロータの極数Ｎｐｌと係数ｂとの関係を示すグラフ。（ｃ）は、ロータの極数Ｎｐｌと係数ｃとの関係を示すグラフ。
【図１２】磁石埋込型ロータの一例についてその平面構造を示す平面図。
【発明を実施するための形態】
【００１７】
以下、磁石埋込型ロータの一実施形態について説明する。はじめに、本実施形態の磁石埋込型ロータを用いたＩＰＭモータの構造について説明する。
図１（ａ），（ｂ）に示すように、このＩＰＭモータは、ハウジング１の内周面に固定されたステータ２、図示しない軸受けを介してハウジング１により軸線ｍ１を中心に回転可能に支持されたモータシャフト３、及びステータ２の内側に配置されてモータシャフト３の外周に一体的に取り付けられるロータ４を備えている。
【００１８】
ステータ２は、その軸方向に複数枚の電磁鋼板が積層された構造からなり、軸線ｍ１を中心に円筒状に形成されている。ステータ２の内周面には、径方向内側に向かって延びる複数のティース２０が形成されている。各ティース２０にはステータコイル２１が巻回されている。
【００１９】
ロータ４は、軸線ｍ１を中心に円筒状に形成されたロータコア４０、及びロータコア４０の内部に埋め込まれた複数の永久磁石５０を備えている。
ロータコア４０は、その軸方向に複数枚の電磁鋼板が積層された構造からなる。ロータコア４０には、軸方向に貫通する複数の磁石挿入孔４１が等角度間隔で形成されている。図１（ｂ）に示すように、各磁石挿入孔４１のロータコア軸方向（軸線ｍ１に平行な方向）に直交する断面形状は、ロータコア径方向（軸線ｍ１に直交する方向）に延びる軸線ｍ２に対して対称なＵ字をなしている。これらの磁石挿入孔４１に永久磁石５０が埋め込まれている。なお、本実施形態では、ボンド磁石を磁石挿入孔４１において射出成型することにより、永久磁石５０がロータコア４０に埋め込まれている。各永久磁石５０は、磁石挿入孔４１の形状に倣って、ロータコア軸方向に直交する断面形状が軸線ｍ２に対して対称なＵ字をなしている。詳しくは、永久磁石５０は、円弧状の屈曲部５１と、屈曲部５１の両端からロータコア径方向に延びる一対の延設部５２とを有している。なお図１（ｂ）には、屈曲部５１と一対の延設部５２との境界に二点鎖線を参考のために記載している。永久磁石５０の一対の延設部５２は、隣接する他の永久磁石５０の延設部５２とロータコア周方向に同一幅ｗｓｐの隙間を隔てて対向配置されている。また一対の延設部５２の端面５２ａとロータコア４０の外周面との間に位置するロータコア４０の部位をリム部４２とすると、このリム部４２のロータコア径方向の幅は同一の幅ｗｒｍとなっている。こうした形状からなる各永久磁石５０は、Ｕ字の内側の部分及び外側の部分に異なる磁極を有している。そして図１（ａ）に示すように、ロータコア４０には、Ｕ字の内側にＮ極を有する永久磁石５０と、Ｕ字の内側にＳ極を有する永久磁石５０とが周方向に交互に配置されている。これによりロータ４は、その外周部分に周方向に沿ってＮ極及びＳ極を交互に有する多極構造をなしている。
【００２０】
このように構成されたＩＰＭモータでは、ステータコイル２１に三相の電流が供給されると、回転磁界が形成される。この回転磁界と、永久磁石５０が形成する磁界とが作用することによりロータ４にトルクが付与され、モータシャフト３が回転する。
【００２１】
次に、図１（ａ），（ｂ）に示した構造を基本構造とするロータ４においてマグネットトルクが最大値近傍となる永久磁石５０の形状を求める方法について説明する。
まず、図１〜図３に示すように、ロータ４の形状は以下の（ａ１）〜（ａ９）に示す各パラメータにより定まっている。
【００２２】
（ａ１）Ｎｐｌ：ロータ４の極数。なお極数Ｎｐｌの値は４以上の偶数である。また本実施形態では、極数Ｎｐｌは永久磁石５０の個数と同一である。
（ａ２）ｒｓｈ：図２に示すロータコア４０の内径。
【００２３】
（ａ３）ｒｒｔ：図２に示すロータコア４０の外径。
（ａ４）ｔｒｔ：図３に示すロータコア４０の軸方向の長さ。なお本実施形態では、ロータコア４０の軸方向の長さと永久磁石５０のロータコア軸方向の長さとが同一であるため、永久磁石５０のロータコア軸方向の長さも「ｔｒｔ」である。
【００２４】
（ａ５）ｒｍｇ：図２に示す永久磁石５０の屈曲部５１の曲げ半径。
（ａ６）ｄｍｇ：図２に示す軸線ｍ２上における永久磁石５０のＵ字外周面とロータコア外周面との間の距離。なお以下では、この距離ｄｍｇを永久磁石５０の埋込深さと言う。
【００２５】
（ａ７）ｔｍｇ：図２に示す永久磁石５０の着磁方向の厚さ。
（ａ８）ｗｓｐ：図１（ｂ）に示す永久磁石５０の延設部５２と、隣接する他の永久磁石５０の延設部５２との間の幅。なお以下では、この幅ｗｓｐをスポーク幅と言う。
【００２６】
（ａ９）ｗｒｍ：図１（ｂ）に示すロータコア４０のリム部４２のロータコア径方向の幅。なお以下では、この幅ｗｒｍをリム幅という。
また、図１（ｂ）に示すように、ロータコア４０の外周面とステータ２のティース２０との間に形成された隙間ＧＰの幅を「ｌｇｐ」とすると、その隙間の中央部の面積Ｓｇｐは次式（５）のように求めることができる。
【００２７】
【数３】
2014241705.tif 000005
さらに永久磁石５０の有効面積Ｓｍｇは、上記の各パラメータを用いて次式（６）のように求めることができる。なお本実施形態における有効面積Ｓｍｇとは、着磁方向に直交する永久磁石５０の平均有効表面積であり、図３に点ハッチングで示す部分の面積となる。
【００２８】
【数４】
2014241705.tif 000006
そして、図１〜図３に示すような形状からなるロータ４の磁気回路を磁気回路法（パーミアンス法）で解析すると、図４に示すようになる。すなわちロータ４の磁気回路は、起磁力源である永久磁石５０から発せられる磁束がロータコア４０のリム部４２を通過して永久磁石５０に戻る磁気回路と、永久磁石５０から発せられる磁束がロータコア４０から隙間ＧＰを介してステータ２のティース２０に流れ込み再び隙間ＧＰを介して永久磁石５０に戻る磁気回路とで表すことができる。したがって、永久磁石５０から発せられる磁束を「Φｍｇ」、ロータ４の外周部分を通過する磁束を「Φｇｐ」、ロータコア４０のリム部４２を通過する磁束を「Φｒｍ」とすると、それらの間には次式（７）の関係が成立する。
【００２９】
【数５】
2014241705.tif 000007
また永久磁石５０の起磁力Ｆは、永久磁石５０の保磁力ＨｃＢと永久磁石５０の着磁方向の厚さｔｍｇとの乗算値（ＨｃＢ・ｔｍｇ）で求めることができる。したがって、永久磁石５０の磁気抵抗を「Ｒｍｇ」、ロータコア４０の外周面とステータ２のティース２０との間に形成された隙間ＧＰの磁気抵抗を「Ｒｇｐ」とすると、ロータコア４０とステータ２の材料（鉄や電磁鋼板等の軟磁性材）の透磁率が空気や永久磁石５０の透磁率に比べて十分に大きく、ロータコア４０及びステータ２の磁気抵抗が低い場合に、次式（８）の関係が成立する。
【００３０】
【数６】
2014241705.tif 000008
なおリム部４２を通過する磁束Φｒｍは、ロータ４の極数Ｎｐｌ、ロータ４を構成する電磁鋼板の飽和磁化Ｊｓｔｒ、リム幅ｗｒｍ、及び永久磁石５０のロータコア軸方向の長さｔｒｔに基づいて次式（９）により求めることができる。
【００３１】
【数７】
2014241705.tif 000009
また永久磁石５０の磁気抵抗Ｒｍｇは、永久磁石５０の着磁方向の厚さｔｍｇ、永久磁石５０のリコイル比透磁率μｒｅｃ、真空の透磁率μ０、及び永久磁石５０の有効面積Ｓｍｇに基づいて次式（１０）により求めることができる。
【００３２】
【数８】
2014241705.tif 000010
さらにロータコア４０の外周部分の磁気抵抗Ｒｇｐは、ロータコア４０の外周面とステータ２のティース２０との間に形成された隙間ＧＰの幅ｌｇｐ、その隙間ＧＰの中央部分の面積Ｓｇｐ、及び真空の透磁率μ０に基づいて次式（１１）のように求めることができる。
【００３３】
【数９】
2014241705.tif 000011
そして、これらの式（７）〜式（１１）の連立方程式を解くことにより、ロータ４の外周部分の磁束Φｇｐを次式（１２）のように求めることができる。
【００３４】
【数１０】
2014241705.tif 000012
また、式（１２）により求められるロータ４の外周部分の磁束Φｇｐに基づいて、ロータ４の外周部分の磁束密度Ｂｇｐを次式（１３）のように求めることができる。
【００３５】
【数１１】
2014241705.tif 000013
なお、式（１３）において、「Ｓｍｇ／（ｒｒｔ・ｔｒｔ）」及び「Ｓｇｐ／（ｒｒｔ・ｔｒｔ）」は、式（５），（６）に基づいて次式（１４），（１５）のようにそれぞれ求めることができる。
【００３６】
【数１２】
2014241705.tif 000014
ところで、ロータコア４０のリム幅ｗｒｍ及びスポーク幅ｗｓｐ、並びにロータコア４０の外周面とステータ２のティース２０との間に形成された隙間ＧＰの幅ｌｇｐは、ロータコア４０の外径ｒｒｔよりも十分に小さいと考えることができる。そこで、式（１３）〜式（１５）における「ｗｒｍ／ｒｒｔ」、「ｗｓｐ／ｒｒｔ」、及び「ｌｇｐ／ｒｒｔ」のそれぞれの値を零に近似すると、式（１３）〜式（１５）は、以下の式（１６）〜式（１８）のようにそれぞれ変形することができる。
【００３７】
【数１３】
2014241705.tif 000015
これらの式（１６）〜式（１８）の各項に着目すると、ロータ４の外周部分の磁束密度Ｂｇｐは、ロータ４の極数Ｎｐｌ、ロータコア４０の外径ｒｒｔに対する永久磁石５０の着磁方向の厚さｔｍｇの比「ｔｍｇ／ｒｒｔ」、及びロータコア４０の外径ｒｒｔに対する永久磁石５０の埋込深さｄｍｇの比「ｄｍｇ／ｒｒｔ」により定まっていることが分かる。
【００３８】
次に、式（１６）〜式（１８）に基づいてロータ４の外周部分の磁束密度Ｂｇｐを演算したシミュレーション解析の結果を図５〜図８に示す。なお図５〜図８は、永久磁石５０の厚さ比ｔｍｇ／ｒｒｔを横軸に、ロータ４の外周部分の磁束密度Ｂｇｐを縦軸に、永久磁石５０の埋込深さ比ｄｍｇ／ｒｒｔを奥行き軸にそれぞれとって、それらの関係を、極数Ｎｐｌが４極、１２極、２０極、及び３６極に設定されている場合についてそれぞれ例示したものである。
【００３９】
図５に示すように、４極のロータ４では、永久磁石５０の埋込深さ比ｄｍｇ／ｒｒｔを任意の値に設定した場合、永久磁石５０の厚さ比ｔｍｇ／ｒｒｔが零から増加すると、ロータコア４０の外周部分の磁束密度Ｂｇｐが上に凸状をなすように変化する。そしてロータコア４０の外周部分の磁束密度Ｂｇｐは、永久磁石５０の厚さ比ｔｍｇ／ｒｒｔ及び永久磁石５０の埋込深さ比ｄｍｇ／ｒｒｔがグラフ上の座標点ａ１〜ａ１０の値になるときに最大値近傍を示す。この磁束密度Ｂｇｐが最大値近傍を示す座標点ａ１〜ａ１０を結ぶと、図中の三次元グラフの稜線ｎ４となる。すなわち、永久磁石５０の埋込深さ比ｄｍｇ／ｒｒｔを任意の値に設定する場合、永久磁石５０の厚さ比ｔｍｇ／ｒｒｔを稜線ｎ４上の値に設定すれば、ロータコア４０の外周部分の磁束密度Ｂｇｐを最大値近傍にすることができる。
【００４０】
同様に、図６〜図８に示すように、１２極、２０極、及び３６極のロータ４では、ロータコア４０の外周部分の磁束密度Ｂｇｐが、各グラフ上の座標点ｂ１〜ｂ１０、座標点ｃ１〜ｃ１０、座標点ｄ１〜ｄ１０で最大値近傍を示す。したがって、各座標点を通る稜線を「ｎ１２」，「ｎ２０」，「ｎ３６」とすると、永久磁石５０の厚さ比ｔｍｇ／ｒｒｔ及び永久磁石５０の埋込深さ比ｄｍｇ／ｒｒｔを稜線ｎ１２，ｎ２０，ｎ３６上の値に設定すれば、１２極、２０極、及び３６極のロータ４でも同様にロータコア４０の外周部分の磁束密度Ｂｇｐを最大値近傍にすることができる。
【００４１】
そこで本実施形態では、ロータ４の形状を規定する関数として、図５〜図８にそれぞれ示す稜線ｎ４，ｎ１２，ｎ２０，ｎ３６に対応する関数を求めることとした。
次に、図９を参照して、稜線ｎ４，ｎ１２，ｎ２０，ｎ３６に対応する形状規定関数を求める方法について説明する。図９は、永久磁石５０の厚さ比ｔｍｇ／ｒｒｔを横軸に、永久磁石５０の埋込深さ比ｄｍｇ／ｒｒｔを縦軸にとって、図５〜図８にそれぞれ示した座標点ａ１〜ａ１０、座標点ｂ１〜ｂ１０、座標点ｃ１〜ｃ１０、及び座標点ｄ１〜ｄ１０をそれぞれプロットしたものである。
【００４２】
本実施形態では、各座標点ａ１〜ａ１０、座標点ｂ１〜ｂ１０、座標点ｃ１〜ｃ１０、及び座標点ｄ１〜ｄ１０を通る各関数を回帰分析により求めることとした。その手順は以下の通りである。
【００４３】
まず、形状規定関数を、次式（１９）に示すａ，ｂ，ｃを各項の係数とする二次方程式で表した。
【００４４】
【数１４】
2014241705.tif 000016
そして、この式（１９）により求められる値と、座標点ａ１〜ａ１０の値との残差の二乗和が最小となるように各係数ａ，ｂ，ｃを決定する、いわゆる最小二乗法により、稜線ｎ４に対応する形状規定関数を求めた。また、同様の手法により、稜線ｎ１２，ｎ２０，ｎ３６に対応する形状規定関数をそれぞれ求めた。
【００４５】
図１０は、極数Ｎｐｌを４極、１２極、２０極、及び３６極に設定した場合を含め、極数Ｎｐｌを４極〜４２極の範囲の値に設定した場合について、式（１９）で表される形状規定関数の各係数ａ，ｂ，ｃを回帰分析で求めた結果を示したものである。なお図１０には、各極数Ｎｐｌに対応した形状規定関数のＲ２乗値（決定係数）も併せて示している。この図１１に示す各係数ａ，ｂ，ｃを式（１９）に代入した関数が、各極数Ｎｐｌにおいてロータコア４０の外周部分の磁束密度Ｂｇｐを最大値近傍に設定することのできる形状規定関数となる。なお図１０に示すように、各極数Ｎｐｌに対応する形状規定関数のＲ２乗値は「１」近傍の値となっており、実際の座標点と形状規定関数との一致性は良好であることを確認した。
【００４６】
次に本実施形態では、図１０に示すように極数Ｎｐｌに応じて定まる各係数ａ，ｂ，ｃについても回帰分析を行った。具体的には、まず、極数Ｎｐｌに対する各係数ａ，ｂ，ｃの変化傾向を把握するために、極数Ｎｐｌと各係数ａ，ｂ，ｃとの関係を図１１（ａ）〜（ｃ）に示すようにグラフ化した。なお図１１（ａ）〜（ｃ）には、図１０に示した極数Ｎｐｌと各係数ａ，ｂ，ｃとの関係を、塗りつぶしの丸（●）でそれぞれ示している。そして図１１（ａ）〜（ｃ）にそれぞれ示される極数Ｎｐｌに対する各係数ａ，ｂ，ｃの変化傾向に着目し、各係数ａ，ｂ，ｃを算出するための関数を、各値α１〜α３、β１〜β３，γ１〜γ３によりそれぞれ規定される以下の式（２０）〜式（２２）で表すこととした。
【００４７】
【数１５】
2014241705.tif 000017
そして、各値α１〜α３、β１〜β３，γ１〜γ３についても、式（２０）〜式（２２）により求められる値と、図１０に示す各係数ａ，ｂ，ｃの値との残差の二乗和が最小となるように各値α１〜α３、β１〜β３，γ１〜γ３を決定した。その結果、極数Ｎｐｌと各係数ａ，ｂ，ｃとの関係を示す関数として、以下の式（２３）〜式（２５）に示す関数を得ることができた。
【００４８】
【数１６】
2014241705.tif 000018
図１１（ａ）〜（ｃ）に、これらの式（２３）〜式（２５）で表される関数を実線で示す。また、式（２３）〜式（２５）により求められる各係数ａ，ｂ，ｃの値を、塗りつぶしの三角（▲）で示す。図１１（ａ）〜（ｃ）に示すように、式（２３）〜式（２５）により求められる各係数ａ，ｂ，ｃの値と、図１０に示した各係数ａ，ｂ，ｃとの値は、極数Ｎｐｌが６極以上の場合、ほぼ一致する。しかしながら極数Ｎｐｌが４極の場合、式（２３），（２５）により求められる各係数ａ，ｃと、図１０に示した各係数ａ，ｃとが乖離していることが分かった。そこで本実施形態では、極数Ｎｐｌが４極の場合、係数ａ，ｃの値については図１０に示した値をそのまま用いることとした。すなわち本実施形態では、極数Ｎｐｌが４極の場合、以下の式（２６）〜式（２８）に基づいて各係数ａ，ｂ，ｃを求めることとした。
【００４９】
【数１７】
2014241705.tif 000019
また極数Ｎｐｌが、６極以上の場合、式（２３）〜式（２５）に基づいて各係数ａ，ｂ，ｃを求めることとした。
【００５０】
ところで、式（１９）及び式（２３）〜式（２５）で表した形状規定関数は、シミュレーション解析の結果に基づく近似式である。そのため、それらの式に基づいてロータコア４０の外径ｒｒｔ、永久磁石５０の埋込深さｄｍｇ、及び永久磁石５０の着磁方向の厚さｔｍｇを設定すると、それらの設定値は、シミュレーション解析により得られた最適値から若干ずれるおそれがある。したがって、ロータコア４０の外径ｒｒｔ、永久磁石５０の埋込深さｄｍｇ、及び永久磁石５０の着磁方向の厚さｔｍｇの設定値を、シミュレーション解析により得られた最適値に更に近づけることができれば、マグネットトルクを更に増加させることが可能である。そこで本実施形態では、ロータ４の形状規定関数として、式（１９）に代えて、次式（２９）を用いることとした。なお「ｋ」は誤差係数である。
【００５１】
【数１９】
2014241705.tif 000020
ロータ４の形状規定関数として、式（２９）で表される関数を用いれば、誤差係数ｋの値を適宜調整することで、ロータの外径ｒｒｔ、永久磁石の埋込深さｄｍｇ、及び永久磁石の着磁方向の厚さｔｍｇのそれぞれの設定値を、シミュレーション解析により得られた最適値に更に近づけることができる。そのためロータ４の外周部分の磁束密度が更に増加するため、マグネットトルクを向上させることができる。なお、誤差係数ｋは任意の値に設定可能であるが、「０．９」から「１．１」までの範囲に設定されていることが好ましい。  次に本実施形態の作用について説明する。なお、誤差係数ｋは「１」に設定されているとする。
【００５２】
例えば極数Ｎｐｌが１０極、外径ｒｒｔが２５ｍｍのロータ４を設計する場合、まず、式（２３）〜式（２５）の極数Ｎｐｌに「１０」を代入することで各係数ａ，ｂ，ｃを演算する。これにより式（２９）に対応する形状規定関数として、次式（３０）を得ることができる。
【００５３】
【数２０】
2014241705.tif 000021
そして、この式（３０）の関係を満たすように永久磁石５０の着磁方向の厚さｔｍｇ、及び永久磁石５０の埋込深さｄｍｇを設定すれば、ロータ４の外周部分の磁束密度Ｂｇｐを最大値近傍に設定することができる。すなわちマグネットトルクを最大値近傍に設定することができる。このように本実施形態によれば、マグネットトルクが最大値近傍のロータ４を容易に設計することができる。
【００５４】
また各係数ａ，ｂ，ｃの演算式を、極数Ｎｐｌを変数とする式（２３）〜式（２５）のように表せば、極数Ｎｐｌが、実際にシミュレーション解析を行った４極〜４２極までの範囲で設定されている場合に限らず、極数Ｎｐｌが４２極以上に設定されている場合でも、各係数ａ，ｂ，ｃを最適値に近い値に設定することができる。そのため、設計対象のロータ４の極数Ｎｐｌについては任意の値で良いため、設計の自由度が大幅に向上する。
【００５５】
以上説明したように、本実施形態のロータ４によれば以下の効果が得られる。
（１）ロータ４の極数Ｎｐｌに基づいて式（２３）〜式（２５）から各係数ａ，ｂ，ｃを算出することとした。そして、算出した各係数ａ，ｂ，ｃに基づいて、ロータコア４０の外径ｒｒｔ、永久磁石５０の埋込深さｄｍｇ、及び永久磁石５０の着磁方向の厚さｔｍｇを、式（２９）を満たすように設定することとした。これによりマグネットトルクが最大値近傍のロータ４を容易に設計することができる。
【００５６】
（２）式（２９）における誤差係数ｋの値を「０．９」から「１．１」までの範囲に設定することとした。これにより、ロータコア４０の外径ｒｒｔ、永久磁石５０の埋込深さｄｍｇ、及び永久磁石５０の着磁方向の厚さｔｍｇのそれぞれの設定値を、シミュレーション解析により得られた最適値に近づけることができるため、マグネットトルクを向上させることができる。
【００５７】
（３）ロータ４の極数Ｎｐｌが４極であるとき、係数ａを「９．２４」に、係数ｃを「−０．７８８」にそれぞれ設定することとした。これによりロータ４の極数Ｎｐｌが４極の場合にも、マグネットトルクが最大値近傍のロータ４を容易に設計することができる。
【００５８】
なお、上記実施形態は、以下の形態にて実施することもできる。
・上記実施形態では、ロータコア４０の外径ｒｒｔ、永久磁石５０の埋込深さｄｍｇ、及び永久磁石５０の着磁方向の厚さｔｍｇを、式（２９）に基づいて設定したが、式（１９）に基づいて設定してもよい。
【００５９】
・上記実施形態において、磁石挿入孔４１及び永久磁石５０の断面形状はＵ字であったが、磁石挿入孔４１及び永久磁石５０の断面形状はこのような形状に限定されない。磁石挿入孔４１及び永久磁石５０の断面形状は、Ｕ字状であればよく、例えば、屈曲部５１の曲げ半径ｒｍｇを零、若しくは非常に小さくした形状であってもよい。
【００６０】
・上記実施形態では、永久磁石５０としてボンド磁石を用いたが、永久磁石５０はボンド磁石に限定されるわけではない。例えば焼結磁石を磁石挿入孔４１に挿入したり、磁石挿入孔４１で磁粉を圧縮成形することにより、永久磁石５０をロータコア４０に埋め込んでもよい。
【符号の説明】
【００６１】
ｍ２…軸線、４…磁石埋込型ロータ、４０…ロータコア、５０…永久磁石。
【図１】
2014241705.tif 000024
【図２】
2014241705.tif 000025
【図３】
2014241705.tif 000026
【図４】
2014241705.tif 000027
【図５】
2014241705.tif 000028
【図６】
2014241705.tif 000029
【図７】
2014241705.tif 000030
【図８】
2014241705.tif 000031
【図９】
2014241705.tif 000032
【図１０】
2014241705.tif 000033
【図１１】
2014241705.tif 000034
【図１２】
2014241705.tif 000035